(57)【要約】【課題】容易に開封可能であり、収容している内容物を開封時に損傷することがない包装用箱を提供する。【解決手段】一枚のブランクシートから一体的に打ち抜かれた箱体形成片１２から成る。箱体形成片１２は、互いに平行に連接された正面板１４、底面板１６、背面板１８、上蓋片２０、及び上蓋片２０に連接され端部に位置して正面板１４の端縁部１４ａの裏面に糊付けされる押し圧片２２を有する。押し圧片２２は、ブランクシートの厚みの途中までを切断する半切り線３４で囲まれた糊付部３２を有する。正面板１４は、糊付部３２が糊付けされる開封部３６を有する。開封部３６は正面板１４の端縁部１４ａに連続し、開封に際して、端縁部１４ａに外側へ力を加えて開封部３６を破断線３８で破り、正面板１４から引き起こすことにより、押し圧片２２の糊付部３２が半切り線３４で層間剥離して開封可能となる。【選択図】図１
2008280052.tif 000002
【特許請求の範囲】
【請求項１】
一枚のブランクシートから一体的に打ち抜かれた箱体形成片から成り、前記箱体形成片には、互いに平行に連接された正面板、底面板、背面板、上蓋片、及び前記上蓋片に連接され端部に位置して前記正面板端縁部の裏面に糊付けされる押し圧片が前記の順に設けられ、前記正面板には前記押し圧片が糊付けされる開封部が破断線で区切られて設けられ、前記開封部は前記正面板の端縁部に連続し、開封に際して、前記端縁部に外側へ力を加えて前記開封部を前記破断線で破り、前記正面板から前記開封部を引き起こして、前記押し圧片から分離し、前記押し圧片を引き上げて前記上蓋片を開封可能としたことを特徴とする包装用箱。
【請求項２】
前記押し圧片には、前記ブランクシートの厚みの途中までを切断する半切り線で囲まれた糊付部が設けられ、前記正面板から前記開封部を引き起こす際に、前記押し圧片の糊付部が前記半切り線で層間剥離し、前記上蓋片を開封可能としたことを特徴とする請求項１記載の包装用箱。
【請求項３】
前記開封部は、前記正面板の前記端縁部に交差する一対の破断線と、前記破断線の先端同士を結ぶ折罫線で囲まれて設けられ、前記正面板の前記端縁部と、前記破断線が交わる角部近傍には、外側に突出する凸部である開封エンボス部が設けられていることを特徴とする請求項１又は２記載の包装用箱。
【請求項４】
前記押し圧片の、前記糊付部以外の部分には、前記正面板へ向かって突出する凸部である押し圧片エンボス部が設けられていることを特徴とする請求項１又は２記載の包装用箱。
【発明の詳細な説明】
【技術分野】
【０００１】
この発明は、複数の商品を並べて密に収容する包装用箱に関する。
【背景技術】
【０００２】
従来、例えばラップラウンドケース形の包装用箱において、包装用箱内に製品が密に並べられて充満している場合、開封後充満した製品を取り出しやすいように、上蓋片が上方に全開して大きい開口部が形成される構造になっている。
【０００３】
また、特許文献１に開示されている包装用箱と物品収容枠は、上蓋片に連続して糊付片が設けられ、糊付片を側面板に糊付けすることにより上部を閉鎖している。糊付片には、糊付けされた部分よりも上蓋片側に、上蓋片に対して平行に一対の断続する切込線で形成された破断部が、端から端まで形成されている。開封するときは、破断部を糊付片から引き起こして糊付片を分割する。これにより上蓋片はフリーとなり、上方に開いて大きい開口部が形成される。
【０００４】
特許文献２に開示されている包装用箱は、上蓋片に連続して差込片が設けられ、差込片を側面に糊付けすることにより上部を閉鎖している。差込片には摘み部が設けられ、摘み部が位置する側面の一部には、押込部が切込線で円形に囲まれて設けられている。開封するときは、押込部を押して切込線を切断して開口部を形成し、開口部に指を入れて差込片の摘み部を引き上げ、差込片を側面から剥がす。これにより上蓋片はフリーとなり、上方に開いて大きい開口部が形成される。
【特許文献１】特開２００２−２３４５３１号公報
【特許文献２】特開２００５−１１２３８４号公報
【発明の開示】
【発明が解決しようとする課題】
【０００５】
上記従来の包装用箱で、押込部を押して切込線を切断する構造の箱の場合、包装用箱内に密に製品が充満した状態であると、差込押し圧片による差込押し圧動作に際して中の製品が開封の邪魔となり、無理に押す操作を行うと製品を破損するおそれがある。
【０００６】
また、特許文献１の場合、開封するときに破断部が包装用箱本体から分離され、ゴミとなる問題がある。さらに、破断部に切込線を形成しなければならず、包装用箱の強度が低下するおそれがある。
【０００７】
その他、特許文献２の構造の場合も、押込部を押して切込線を切断する場合、包装用箱内に密に収容された製品が開封の邪魔となり、無理に押す操作を行うと製品を破損するおそれがある。
【０００８】
この発明は、上記従来の技術の問題点に鑑みてなされたものであり、容易に開封可能であり、収容している内容物を開封時に損傷することがない包装用箱を提供することを目的とする。
【課題を解決するための手段】
【０００９】
本発明は、一枚のブランクシートから一体的に打ち抜かれた箱体形成片から成り、前記箱体形成片には、互いに平行に連接された正面板、底面板、背面板、上蓋片、及び前記上蓋片に連接され端部に位置して前記正面板端縁部の裏面に糊付けされる押し圧片が前記の順に設けられ、前記正面板には前記押し圧片が糊付けされる開封部が破断線で区切られて設けられ、前記開封部は前記正面板の端縁部に連続し、開封に際して、前記端縁部に外側へ力を加えて前記開封部を前記破断線で破り、前記正面板から前記開封部を引き起こして、前記押し圧片から分離し、前記押し圧片を引き上げて前記上蓋片を開封可能とした包装用箱である。
【００１０】
前記押し圧片には、前記ブランクシートの厚みの途中までを切断する半切り線で囲まれた糊付部が設けられ、前記正面板から前記開封部を引き起こす際に、前記押し圧片の糊付部が前記半切り線で層間剥離し、前記上蓋片を開封可能としたものである。
【００１１】
前記開封部は、前記正面板の前記端縁部に交差する一対の破断線と、前記破断線の先端同士を結ぶ折罫線で囲まれて設けられ、前記正面板の前記端縁部と、前記破断線が交わる角部近傍には、外側に突出する凸部である開封エンボス部が設けられている。
【００１２】
前記押し圧片の、前記糊付部以外の部分には、前記正面板へ向かって突出する凸部である押し圧片エンボス部が設けられているものである。
【発明の効果】
【００１３】
本発明の包装用箱は、開封片を外側に引いて破る簡単な操作で開封可能であり、容易に押し圧片を引き上げて上蓋片を上方に開き、大きい開口部を形成することができる。さらに、内側に密に収容されている内容物である製品を損傷せずに開封することができ、充満している製品を、大きい開口部から簡単に引き出すことができる。
【発明を実施するための最良の形態】
【００１４】
以下、この発明の実施形態について図面に基づいて説明する。図１〜図５はこの発明の第一実施形態を示すもので、この実施形態の包装用箱１０は、紙製の一枚のブランクシートを打ち抜いて形成された箱体形成片１２を組み立てて設けられている。
【００１５】
図５は箱体形成片１２を表面から見た展開図であり、箱体形成片１２は、組み立て状態で正面に位置する正面板１４、底面板１６、背面板１８、上蓋片２０が、互いに平行に連接して形成されている。正面板１４、底面板１６、側面板１８、上蓋片２０は、連接している幅方向はほぼ同じ長さであり、連接方向の長さは正面板１４、背面板１８が長くて互いにほぼ等しく、底面板１６、上蓋片２０は短くて互いにほぼ等しい。さらに上蓋片２０の側縁部には、包装用箱１０の組立状態で正面板１４の裏面に糊付けされる押し圧片２２が設けられている。正面板１４、底面板１６、背面板１８、上蓋片２０、押し圧片２２は、各々折罫線２４，２６，２８，３０で区切られている。
【００１６】
押し圧片２２の中央には、押し圧片２２の長手方向に沿って長円状の糊付部３２が設けられている。糊付部３２の周囲は半切り線３４で囲まれ、半切り線３４は、ブランクシートの表面からブランクシートの厚みの途中までを切断したものである。
【００１７】
正面板１４には、底面板１６と反対側の端縁部１４ａに連続して開封部３６が設けられている。開封部３６は、端縁部１４ａに対してほぼ直角に連通する一対の破断線３８で囲まれて設けられ、破断線３８の先端同士を結ぶ折罫線４０で正面板１４と区切られている。開封部３６は、包装用箱１０の組み立て状態で、押し圧片２２の糊付部３２に対向する位置に設けられ、糊付部３２よりも少し大きく形成されている。開封部３６の、端縁部１４ａと破断線３８で作られた一対の角部は丸く丸められ、丸められた角部には外面側に突出する凸部である開封エンボス部４２が設けられている。開封エンボス部４２の凸部は、角部に対して斜めに形成された互いに平行な複数の直線である。
【００１８】
正面板１４において、底面板１６との連接方向に対して直角な一端部には、台形状のフラップ４４が折罫線４６で区切られて設けられている。フラップ４４の折罫線４６から先端までの長さは、底面板１６の、連接方向の長さのほぼ半分に設けられている。正面板１４の折罫線４６と反対側の端部には、フラップ４４とほぼ同形のフラップ４８が折罫線５０で区切られて設けられている。
【００１９】
底面板１６の、正面板１４の折罫線４６に隣接する端部には、台形状の糊付片５２が折罫線５４で区切られて設けられている。糊付片５２の折罫線５４から先端までの長さは、正面板１４の連接方向の長さのほぼ半分に設けられている。底面板１６の折罫線５４と反対側の端部には、糊付片５２とほぼ同形の糊付片５６が折罫線５８で区切られて設けられている。
【００２０】
背面板１８の、底面板１６の折罫線５４に隣接する端部には、台形状のフラップ６０が折罫線６２で区切られて設けられている。フラップ６０は、フラップ４４とほぼ同じ形状である。背面板１８の折罫線６２と反対側の端部には、フラップ６０とほぼ同形のフラップ６４が折罫線６６で区切られて設けられている。
【００２１】
上蓋片２０の、背面板１８の折罫線６２に隣接する端部には、台形状の糊付片６８が破断線７２で区切られて設けられている。糊付片６８は、糊付片５２とほぼ同じ形状である。上蓋片２０の破断線７２と反対側の端部には、糊付片６８とほぼ同形の糊付片７４が破断線７６で区切られて設けられている。
【００２２】
次に、この実施形態の包装用箱１０の組立方法の一例について説明する。なお、ここでは図５が包装用箱１０の箱体形成片１２の表面を見たものであり、箱体形成片１２の表面が凸になる折り方を正折り、そして裏面が凸になる折り方を逆折りと称する。
【００２３】
先ず、押し圧片２２の表面の糊付部３２に、糊８０を塗布する。同様に糊付片５２，５６，６８，７４の裏面に各々糊８２を塗布する。次に、箱体形成片１２の裏面を上にして広げ、所定の位置に製品８４を並べて置く。ここでは１０個の製品８４を、５個ずつの２列に分けて隙間無く並べる。そして、折罫線２４，２６，２８，３０を９０度に正折りして正面板１４、底面板１６、面背板１８、上蓋片２０で製品８４を筒状に包む。このとき、正面板１４の裏面が、押し圧片２２の表面の糊付部３２に、糊８０で糊付けされる。
【００２４】
次に、折罫線４６，６２でフラップ４４，６０を９０度に正折りし、折罫線５４破断線７２で糊付片５２，６８を９０度に正折りする。このとき糊付片５２，６８の裏面が、フラップ４４，６０の表面に糊８２で糊付けされて、一方の端部を閉鎖する。次に、折罫線５０，６６でフラップ４８，６４を９０度に正折りし、折罫線５８破断線７６で糊付片５６，７４を９０度に正折りする。このとき、糊付片５６，７４の裏面が、フラップ４８，６４の表面に糊８２で糊付けされて、他方の端部を閉鎖する。なお、箱体形成片１２を組み立てる順番はこれ以外でもよく、適宜変更可能である。
【００２５】
次に、この実施形態の包装用箱１０の開封方法について説明する。図１に示す包装用箱１０の開封部３６を、正面板１４の端縁部１４ａから引き起こすように外側へ力を加える。このとき、開封部３６の開封エンボス部４２が設けられた角部の両方または片方と、押し圧片２２との間に指先を入れて引くようにする。すると、図２に示すように開封部３６は一対の破断線３８が破れて折罫線４０で折り曲げられて、正面板１４から開かれる。このとき、押し圧片２２の糊付部３２の表面が半切り線３４を境界にしてブランクシートから表層部分が剥がされて、連結が解除される。
【００２６】
次に、開封部３６が開かれた部分から押し圧片２２が露出した状態で、押し圧片２２を持ち上げると、上蓋片２０に上方へ上がる力がかかり、図３に示すように破断線７２，７６が破れて上蓋片２０が開き、大きい開口部が形成される。そして、開口部から包装用箱１０に収容していた製品８４が露出し、取り出し可能となる。図４に示すように、開封部３６が開かれた部分に位置する製品８４は、正面板１４の面も露出し、容易に上方に引き上げて取り出すことができる。
【００２７】
この実施形態の包装用箱１０によれば、以下のような効果を有する。まず、簡単な構造で容易に開封することができる。包装用箱１０内に製品８４が密に収容されていても、開封の際に内側に包装用箱１０の一部を押し込む必要が無いため、製品８４が支障とならずに開封することができる。製品８４を無理に押すことが無いため、製品８４を損傷したり変形させたりすることが無く、安全である。上蓋片２０が大きく開いて開口部が形成され、正面板１４の側縁部１４ａには開封部３６が開かれた切欠部が設けられるため、製品８４が隙間無く収容されていても簡単に上方へ引き上げて取り出すことができる。糊付部３２は開封部３６の裏面に接着されたままであり、ゴミが出ることがなく廃棄物処理が容易である。開封部３６には開封片エンボス部４２が設けられているため、指が掛かりやすく開封操作が容易となる。従来のように、開封のための破断線を側面に横断して設ける必要がなく、箱体強度が維持されるものである。
【００２８】
次に、この発明の第二実施形態について図６、図７に基づいて説明する。なお、ここで、上記実施形態と同様の部材は同様の符号を付して説明を省略する。この実施形態の包装用箱８６は、押し圧片２２の長手方向の中心に、長手方向に沿って短い長円状の糊付部８８が設けられ、糊付部８８の周囲は半切り線９０で囲まれている。糊付部８８の両脇には、包装用箱８６の組み立て状態で正面板１４に向かって押し圧片エンボス部９２が設けられている。押し圧片エンボス部９２の凸部は、押し圧片２２の側縁付近を中心とする同心円状の扇形曲線である。押し圧片エンボス部９２は、糊付部８８を挟んで一対が設けられている。
【００２９】
包装用箱８６の組立方法と開封方法は上記実施の形態と同様である。この実施形態の包装用箱８６によれば、上記実施形態と同様の効果を有するものである。押し圧片２２を押し上げるときに指が掛かりやすくなり、また滑り難くなり、より確実に押し圧片２２を押し上げて開封することができる。
【００３０】
なお、この発明の包装用箱は上記各実施形態に限定されるものではなく、開封部や糊付部、開封エンボス部等、各部材の形状は変更可能である。正面板や底面板、上蓋片の形状も、内容物の形状や収容する数に合わせて適宜設計することができる。
【図面の簡単な説明】
【００３１】
【図１】この発明の第一実施形態の包装用箱の斜視図である。
【図２】第一実施形態の包装用箱の開封部を開いた状態を示す斜視図である。
【図３】第一実施形態の包装用箱の上蓋片を開いた状態を示す斜視図である。
【図４】第一実施形態の包装用箱の内容物を取り出した状態を示す斜視図である。
【図５】第一実施形態の包装用箱の展開図である。
【図６】この発明の第二実施形態の包装用箱の開封部を開いた状態を示す斜視図である。
【図７】第二実施形態の包装用箱の展開図である。
【符号の説明】
【００３２】
１０  包装用箱
１２  箱体形成片
１４  正面板
１６  底面板
１８  背面板
２０  上蓋片
２２  押し圧片
３２  糊付部
３４  半切り線
３６  開封部
３８，７２，７６  破断線
４２  開封エンボス部
４４，４８，６０，６４  フラップ
５２，５６，６８，７４  糊付片
【図１】
2008280052.tif 000003
【図２】
2008280052.tif 000004
【図３】
2008280052.tif 000005
【図４】
2008280052.tif 000006
【図５】
2008280052.tif 000007
【図６】
2008280052.tif 000008
【図７】
2008280052.tif 000009